(57)【要約】【課題】地上デジタル放送のチャンネルスキャン時に複数のデジタルチューナで同一チャンネル受信する場合の同一チャンネル妨害の有無を判断および解消し、受信性能の維持を図ることができるデジタル放送受信装置を提供することを目的とする。【解決手段】地上デジタル放送のチャンネルスキャンにおいて、受信可能なチャンネルを取得する（ステップＳ２０１）。同一チャンネル妨害の有無を判断する（ステップＳ２０２）。Ｙｅｓの場合にのみ同一チャンネル妨害有りを記憶する（ステップＳ２０３）。次に、同一チャンネル妨害を解消する（ステップＳ２０４）。このようにして同一チャンネル受信時の性能劣化を判断・解消し、受信性能の確保を行う。【選択図】図２
2007295229.tif 000002
【特許請求の範囲】
【請求項１】
複数のデジタルチューナを備えたデジタル放送受信装置であって、
デジタル放送の全周波数をスキャンし受信可能なチャンネルを取得する受信可能チャンネル取得手段と、
複数のチューナが同一チャンネルを選局した場合に同一チャンネル妨害の有無を判断する同一チャンネル妨害有無判断手段と、
前記同一チャンネル妨害有無判断手段により同一チャンネル妨害有りと判断された場合に一方のチューナのローカル周波数をオフセットさせる同一チャンネル妨害解消手段と、
前記同一チャンネル妨害有無判断手段の判断結果を記憶する手段と、
を備えたデジタル放送受信装置。
【請求項２】
復調ＩＣの引き込み限度までローカルオフセットさせたときに比較してローカルオフセット値を変化させたときに受信性能が良化した場合のローカルオフセットを検出する隣接チャンネル妨害緩和手段を、更に有する請求項１記載のデジタル放送受信装置。
【発明の詳細な説明】
【技術分野】
【０００１】
本発明は、デジタル放送に用いるデジタル放送受信装置に関するものである。
【背景技術】
【０００２】
複数のデジタルチューナを備えた地上デジタル放送受信装置では、各々のチューナを隣接位置に機構レイアウトした場合、各々のチューナのローカル周波数が干渉しあって受信性能が劣化する同一チャンネル妨害が発生していた。そのため機構的に干渉が起きないよう各々のチューナを離れた位置に設置するか、同一チャンネル受信自体を特許文献１で公知の通りソフト制御で排他処理する方法で受信性能（ＡＲＩＢ−Ｂ２１（非特許文献１参照。））の確保を実現していた。
【特許文献１】特開平５−１３７０８６号公報
【非特許文献１】ＡＲＩＢ  ＳＴＤ−Ｂ２１デジタル放送受信装置  標準規格（望ましい仕様）
【発明の開示】
【発明が解決しようとする課題】
【０００３】
しかしながら上記の従来の構成では、受信機として省スペース化が進む中、複数のデジタルチューナを離れた位置に設置することが困難な状態にあることと、デジタル放送開始にともない、高精細の映像を視聴と同時に録画する用途が急増し、同一チャンネル受信の必要性が高まったため従来の排他処理では仕様上問題点を有していた。
【０００４】
本発明は上記従来の問題点を解決するもので、地上デジタル放送のチャンネルスキャン時に複数のデジタルチューナで同一チャンネル受信する場合の同一チャンネル妨害の有無を判断および解消し、受信性能の維持を図ることができるデジタル放送受信装置を提供することを目的とする。
【課題を解決するための手段】
【０００５】
この目的を達成するために本発明のデジタル放送受信装置は、複数のデジタルチューナを備えたデジタル放送受信装置であって、デジタル放送の全周波数をスキャンし受信可能なチャンネルを取得する受信可能チャンネル取得手段と、複数のチューナが同一チャンネルを選局した場合に同一チャンネル妨害の有無を判断する同一チャンネル妨害有無判断手段と、前記同一チャンネル妨害有無判断手段により同一チャンネル妨害有りと判断された場合に一方のチューナのローカル周波数をオフセットさせる同一チャンネル妨害解消手段と、前記同一チャンネル妨害有無判断手段の判断結果を記憶する手段と、
を備えた構成を有している。
【０００６】
また、復調ＩＣの引き込み限度までローカルオフセットさせたときに比較してローカルオフセット値を変化させたときに受信性能が良化した場合のローカルオフセットを検出する隣接チャンネル妨害緩和手段を、更に備えた構成を有している。
【発明の効果】
【０００７】
以上のように本発明は、デジタル放送のチャンネルスキャン時に複数のデジタルチューナで同一チャンネル受信する場合の同一チャンネル妨害の有無を判断および解消し、受信性能の維持を図ることができるという優れた効果が得られる。
【発明を実施するための最良の形態】
【０００８】
本発明は、デジタル放送のチャンネルスキャンを行いチャンネルリストに記憶する機能を有し、複数のデジタルチューナを備えたデジタル放送受信装置であって、デジタル放送の全周波数をスキャンし受信可能なチャンネルを取得する手段と、複数のチューナが同一チャンネルを選局した場合に同一チャンネル妨害の有無を判断する手段とこれによる性能劣化を解消する手段と、その結果を記憶する手段とを備えたことを特徴とするデジタル放送受信装置であり、同一チャンネル妨害の有無を判断し解消することで受信性能を維持できる作用を有する。
（実施の形態１）
図１は本発明の実施の形態１におけるデジタル放送受信装置の構成を示すブロック図である。以下、図１を用いて上記デジタル放送受信装置の構成について説明する。本説明ではデジタルチューナを２個有する場合を例とする。ユーザーが選局した信号を受信する第１のデジタルチューナ１０１、第２のデジタルチューナ１０２、信号レベルの有無を検出するＩＦ信号検知器１０３、変調されているその信号を復調する復調器１０４、受信性能（ＣＮ値やＢＥＲ値）を測定する受信性能測定部１０５、復調された信号から映像・音声・付加情報に分離するためのＴＳデコーダ１０６、分離された映像信号・音声信号をデコードするＡＶデコーダ１０７、プログラムや番組情報などを格納する記憶装置であるフラッシュＲＯＭ１０８、プログラムの内部情報などを格納する記憶装置であるＲＡＭ１０９、ユーザー固有の情報やデジタル放送受信装置のシステム設定情報などを格納する記憶装置であるＥＥＰＲＯＭ１１０、リモコン信号の受信を行う赤外線リモコン受信装置１１１、これらの装置をシステムバス１００を通じて制御するＣＰＵ１１２から構成される。
【０００９】
図２は本発明の実施の形態１におけるデジタル放送受信装置の動作を示すフローチャートである。地上デジタル放送のチャンネルスキャンにおいて、受信可能なチャンネルを取得する（ステップＳ２０１）。同一チャンネル妨害の有無を判断する（ステップＳ２０２）。Ｙｅｓの場合にのみ同一チャンネル妨害有りを記憶する（ステップＳ２０３）。次に、同一チャンネル妨害を解消する（ステップＳ２０４）。このようにして同一チャンネル受信時の性能劣化を判断・解消し、受信性能の確保を行う。
【００１０】
図３は本発明の実施の形態１における同一チャンネル妨害の有無を判断するフローチャートである。チャンネルスキャンと同時に同一チャンネル妨害の有無を判定する処理としてステップＳ３２１で第１のデジタルチューナ１０１で最初にスキャンするチャンネルの選局データを設定しステップＳ３２２へ遷移する。次にステップＳ３２２で、ＴＳデコーダ１０６の同期信号（ＴＳ同期）の有無を検出し、ＴＳ同期がなければ、次のチャンネルをスキャンするためにステップＳ３２４へ遷移し、ＴＳ同期があれば、ステップＳ３２３で受信可能なチャンネルとしてこのチャンネルをチャンネルリストに追加し、そのチャンネルリストをＥＥＰＲＯＭ１１０に記憶し、次のチャンネルをスキャンするためにステップＳ３２４へ遷移する。次にステップＳ３２４で、スキャンしたチャンネルがラストのチャンネルであれば、ステップＳ３２６へ遷移し、スキャンしたチャンネルがラストのチャンネルでなければ、ステップＳ３２５で、第１のデジタルチューナ１０１へ次のスキャンするチャンネルの選局データを設定し、ステップＳ３２２に遷移する。次に各々のデジタルチューナでの受信性能値（ＣＮ値やＢＥＲ値）を測定し、同一チャンネル妨害の無い状態での単独受信性能値を得るために、ステップＳ３２６で、スキャン時に構築したチャンネルリストの最初のチャンネルを受信性能を測定するチャンネルとして設定する。ステップＳ３２７で第１のデジタルチューナ１０１の単独性能を測定する。この時ステップＳ３２８のように第２のデジタルチューナ１０２は同一チャンネル受信にならないようにスリープモードまたはＴＳ同期が無くスキャンリストにあがらなかったチャンネルを選局状態とする。ステップＳ３２９で第１のデジタルチューナ１０１の単独受信性能値をメモリーに記憶する。ステップＳ３３０のようにスキャン時に構築したチャンネルリストの最初のチャンネルを第２のデジタルチューナ１０２で選局し、同様にステップＳ３３１のように第１のデジタルチューナ１０１はスリープモードまたはＴＳ同期が無くスキャンリストにあがらなかったチャンネルを選局状態とする。ステップＳ３３２で第２のデジタルチューナ１０２の単独受信性能値をメモリーに記憶する。ステップＳ３３３において第１のデジタルチューナ１０１および第２のデジタルチューナ１０２を同一チャンネルで選局し、各々の受信性能値を測定する。ステップＳ３３４において各々のデジタルチューナの単独受信性能と同一チャンネル選局時の受信性能値を比較し、劣化が無ければ、チャンネルリスト中の次のチャンネルの選局を行うためにステップＳ３３６に遷移する。劣化があった場合は、「同一チャンネル妨害あり」として情報をメモリーに記憶しステップＳ３３６へ遷移する。ステップＳ３３６で、チャンネルリスト内のラストチャンネルかを判断し、ラストチャンネルで無ければＳ３３７に遷移する。ラストチャンネルであれば同一チャンネル妨害の有無を判定する処理を終了する。
【００１１】
図４は本発明の実施の形態１における同一チャンネル妨害を解消するフローチャートである。ステップＳ４３１で視聴者が赤外線リモコン受信装置１１１にて選局動作を行った際にステップＳ４３２で同一チャンネル妨害の有無をメモリーから呼び出し処理を分岐する。同一チャンネル妨害が無い場合は、通常のローカル周波数情報をデジタルチューナに転送しステップＳ４３３へ遷移する。同一チャンネル妨害がある場合は、ステップＳ４３４で一方のデジタルチューナに対して復調ＩＣが引き込める限度値までローカル周波数を上または下側へオフセットしたデータを転送することで同一チャンネル妨害を解消し、ステップＳ４３５へ遷移する。ステップＳ４３５にて受信が完了したら、同一チャンネル妨害解消処理を終了する。実施の形態１でチャンネルリスト、受信性能値および同一チャンネル妨害の有無をメモリーに記憶する構成としたが、記憶先はＥＥＰＲＯＭ１１０でもフラッシュＲＯＭ１０８でもよい。
（実施の形態２）
実施の形態１の同一チャンネル妨害解消を実施する場合の副作用として生じる可能性のある隣接チャンネル妨害を緩和する手段を説明する。隣接チャンネル妨害とは、ローカル周波数をオフセットすることにより隣接チャンネルのＲＦ信号が復調ＩＣの引き込み範囲に妨害波として混入されることにより受信性能が劣化する現象をいう。よってローカルオフセット量の適正値を測定することにより、同一チャンネル妨害解消の副作用を緩和する手段を提供する。
【００１２】
図５は本発明の実施の形態２における同一チャンネル妨害の副作用を緩和するフローチャートである。図３の処理フローのあとに追加で実施することで隣接チャンネル妨害の有無を判断し、適切なオフセット量を判断する。まずステップＳ５４１でチャンネルリストをメモリーから呼び出し、ステップＳ５４２で隣接チャンネルの有無を判断し処理を分岐する。隣接チャンネルが存在しない場合は次のチャンネルを測定するためにステップＳ５４８に遷移する。隣接チャンネルが存在する場合は、ステップＳ５４３に遷移し、復調ＩＣの引き込み限度までローカルオフセットしたデータを一方のチューナに転送する。ステップＳ５４４で第１のデジタルチューナ１０１および第２のデジタルチューナ１０２の受信性能を測定しメモリーに記憶する。次にステップＳ５４５でローカルオフセット値を可変（たとえば限度値を１／Ｎずつ減らす）し、受信性能を測定する。ステップＳ５４６で限度値までオフセットしたときの受信性能値と比較し良化したかで処理を分岐する。良化しなかった場合は、同一チャンネル妨害解消を重視した状態を保ち次のチャンネルを測定するためにステップＳ５４８に遷移する。良化した場合はステップＳ５４７に遷移し適切なローカルオフセット量をメモリーに記憶し、ステップＳ５４８に遷移する。ステップＳ５４８でラストチャンネルかを判断し、ラストチャンネルで無い場合はステップＳ５４９に遷移して、次のチャンネルを設定してステップＳ５４２に遷移する。ラストチャンネルの場合は処理を終了する。隣接チャンネル妨害の緩和処理は図４のステップＳ４３４においてステップＳ５４７で記憶された適切なローカルオフセット量を転送することで処理を完了する。
【００１３】
実施の形態１および実施の形態２は受信機の形態として固定受信機に限定されるものではなく、移動受信機、部分受信機においても同様である。
【００１４】
なお、本発明は上記した実施の形態に限定されるものではない。
【００１５】
以上、本発明を実施するための最良の形態における機能は、所定のプログラムによって実現される。
【産業上の利用可能性】
【００１６】
本発明のデジタル放送受信機では、デジタル同一チャンネル受信時の同一チャンネル妨害（ローカル干渉妨害）による受信性能劣化を解決できる効果を有しており、デジタル放送に用いる受信装置として有用である。
【図面の簡単な説明】
【００１７】
【図１】本発明の実施の形態１におけるデジタル放送受信装置の構成を示すブロック図
【図２】本発明の実施の形態１におけるデジタル放送受信装置の動作を示すフローチャート
【図３】本発明の実施の形態１における同一チャンネル妨害の有無を判断するフローチャート
【図４】本発明の実施の形態１における同一チャンネル妨害を解消するフローチャート
【図５】本発明の実施の形態２における同一チャンネル妨害の副作用を緩和するフローチャート
【符号の説明】
【００１８】
１００    システムバス
１０１    第１のデジタルチューナ
１０２    第２のデジタルチューナ
１０３    ＩＦ信号検知
１０４    復調器
１０５    受信性能測定器
１０６    ＴＳデコーダ
１０７    ＡＶデコーダ
１０８    フラッシュＲＯＭ
１０９    ＲＡＭ
１１０    ＥＥＰＲＯＭ
１１１    赤外線リモコン受信装置
１１２    ＣＰＵ
【図１】
2007295229.tif 000003
【図２】
2007295229.tif 000004
【図３】
2007295229.tif 000005
【図４】
2007295229.tif 000006
【図５】
2007295229.tif 000007